(57)【要約】【課題】  ガイダンス出力方法、電子装置及びコンピュータプログラムに関し、煩雑な操作を要することなく、且つ、ガイダンス情報を誤認防止可能に出力することを目的とする。【解決手段】  メンテナンスに関する操作手順及び警告を含むガイダンス情報が、関連する電子装置内の装置部分に対応する箇所に設けられたガイダンス部に示されている電子装置において、表示指示に応答して、対応するガイダンス部に示されているガイダンス情報を電子装置の表示部に表示する。【選択図】  図５
2004297776.tif 000002
【特許請求の範囲】
【請求項１】
メンテナンスに関する操作手順及び警告を含むガイダンス情報が、関連する電子装置内の装置部分に対応する箇所に設けられたガイダンス部に示されている電子装置において、
表示指示に応答して、対応するガイダンス部に示されているガイダンス情報を該電子装置の表示部に表示する表示ステップを含むことを特徴とする、ガイダンス出力方法。
【請求項２】
該表示指示を、該箇所に設けられたスイッチ、又は、該電子装置の該箇所以外に設けられたスイッチの操作に応答して発生するステップを更に含むことを特徴とする、請求項１記載のガイダンス出力方法。
【請求項３】
該表示指示を、該ガイダンス部と一体的に設けられたスイッチの操作に応答して発生するステップを更に含むことを特徴とする、請求項１記載のガイダンス出力方法。
【請求項４】
該ガイダンス情報は階層構造を有し、
階層指示に応じた階層のガイダンス情報を該表示部に表示するステップを更に含むことを特徴とする、請求項１〜３のいずれか１項記載のガイダンス出力方法。
【請求項５】
該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とする、請求項１〜４のいずれか１項記載のガイダンス出力方法。
【請求項６】
該ガイダンス情報は、文字及び／又は絵を含むことを特徴とする、請求項１〜５のいずれか１項記載のガイダンス出力方法。
【請求項７】
該表示ステップは、変換指示に応答して、該ガイダンス情報に色の識別を容易にする色変換処理及び／又は拡大変換処理を施してから該表示部に表示することを特徴とする、請求項１記載のガイダンス出力方法。
【請求項８】
印刷指示に応答して、該ガイダンス情報を印刷するステップを更に含むことを特徴とする、請求項１〜７のいずれか１項記載のガイダンス出力方法。
【請求項９】
印刷指示に応答して、該ガイダンス情報を印刷するステップを更に含み、
該印刷ステップは、色変換指示に応答して、該ガイダンス情報に色の識別を容易にする色変換処理を施してから印刷することを特徴とする、請求項１〜７のいずれか１項記載のガイダンス出力方法。
【請求項１０】
該電子装置は、複写機、ファクシミリ装置、印刷装置、複合装置、空調装置及び自動販売機からなるグループから選択された１つの装置であることを特徴とする、請求項１〜９のいずれか１項記載のガイダンス出力方法。
【請求項１１】
表示部と、
メンテナンスの対象となる複数の装置部分と、
該複数の装置部分に対応する箇所に設けられ、メンテナンスに関する操作手順及び警告を含むガイダンス情報を示する少なくとも１つのガイダンス部と、
表示指示に応答して、対応するガイダンス部に示されているガイダンス情報を該表示部に表示する制御手段とを備えたことを特徴とする、電子装置。
【請求項１２】
該箇所又は該箇所以外に設けられたスイッチを更に備え、
該制御手段は、該スイッチの操作に応じて発生する表示指示に応答して該ガイダンス情報を該表示部に表示することを特徴とする、請求項１１記載の電子装置。
【請求項１３】
該ガイダンス部と一体的に設けられたスイッチを備え、
該制御手段は、該スイッチの操作に応じて発生する表示指示に応答して該ガイダンス情報を該表示部に表示することを特徴とする、請求項１１記載の電子装置。
【請求項１４】
該ガイダンス情報は階層構造を有し、
該制御手段は、階層指示に応じた階層のガイダンス情報を該表示部に表示することを特徴とする、請求項１１〜１３のいずれか１項記載の電子装置。
【請求項１５】
該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とする、請求項１１〜１４のいずれか１項記載の電子装置。
【請求項１６】
該ガイダンス情報は、文字及び／又は絵を含むことを特徴とする、請求項１１〜１５のいずれか１項記載の電子装置。
【請求項１７】
該制御手段は、変換指示に応答して、該ガイダンス情報に色の識別を容易にする色変換処理及び／又は拡大変換処理を施してから該表示部に表示することを特徴とする、請求項１１記載の電子装置。
【請求項１８】
印刷部を更に備え、
該制御手段は、印刷指示に応答して、該ガイダンス情報を該印刷部で印刷することを特徴とする、請求項１１〜１７のいずれか１項記載の電子装置。
【請求項１９】
印刷部を更に備え、
該制御手段は、色変換指示に応答して、該ガイダンス情報に色の識別を容易にする色変換処理を施してから該印刷部で印刷することを特徴とする、請求項１１〜１７のいずれか１項記載の電子装置。
【請求項２０】
該電子装置は、複写機、ファクシミリ装置、印刷装置、複合装置、空調装置及び自動販売機からなるグループから選択された１つの装置であることを特徴とする、請求項１１〜１９のいずれか１項記載の電子装置。
【請求項２１】
メンテナンスに関する操作手順及び警告を含むガイダンス情報が、関連する電子装置内の装置部分に対応する箇所に設けられたガイダンス部に示されている電子装置が内蔵するコンピュータにガイダンス情報を表示させるコンピュータプログラムであって、
該コンピュータに、表示指示に応答して、対応するガイダンス部に示されているガイダンス情報を該電子装置の表示部に表示させる表示手順を含むことを特徴とする、コンピュータプログラム。
【請求項２２】
該コンピュータに、該表示指示を、該箇所に設けられたスイッチ、又は、該電子装置の該箇所以外に設けられたスイッチから入手させる手順を更に含むことを特徴とする、請求項２１記載のコンピュータプログラム。
【請求項２３】
該コンピュータに、該表示指示を、該ガイダンス部と一体的に設けられたスイッチから入手させる手順を更に含むことを特徴とする、請求項２１記載のコンピュータプログラム。
【請求項２４】
該ガイダンス情報は階層構造を有し、
該コンピュータに、階層指示に応じた階層のガイダンス情報を該表示部に表示させる手順を更に含むことを特徴とする、請求項２１〜２３のいずれか１項記載のコンピュータプログラム。
【請求項２５】
該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とする、請求項２１〜２４のいずれか１項記載のコンピュータプログラム。
【請求項２６】
該ガイダンス情報は、文字及び／又は絵を含むことを特徴とする、請求項２１〜２５のいずれか１項記載のコンピュータプログラム。
【請求項２７】
該表示手順は、該コンピュータに、変換指示に応答して、該ガイダンス情報に色の識別を容易にする色変換処理及び／又は拡大変換処理を施してから該表示部に表示させることを特徴とする、請求項２１記載のコンピュータプログラム。
【請求項２８】
該コンピュータに、印刷指示に応答して、該ガイダンス情報を印刷させる手順を更に含むことを特徴とする、請求項２１〜２７のいずれか１項記載のコンピュータプログラム。
【請求項２９】
該コンピュータに、印刷指示に応答して、該ガイダンス情報を印刷させる手順を更に含み、
該印刷手順は、該コンピュータに、色変換指示に応答して、該ガイダンス情報に色の識別を容易にする色変換処理を施してから印刷させることを特徴とする、請求項２１〜２７のいずれか１項記載のコンピュータプログラム。
【請求項３０】
該電子装置は、複写機、ファクシミリ装置、印刷装置、複合装置、空調装置及び自動販売機からなるグループから選択された１つの装置であることを特徴とする、請求項２１〜２９のいずれか１項記載のコンピュータプログラム。
【発明の詳細な説明】
【技術分野】
【０００１】
本発明は、ガイダンス出力方法、電子装置及びコンピュータプログラムに係り、特に電子装置のメンテナンスに関する操作手順や警告、サービス従業者への連絡方法等のガイダンス情報を出力するためのガイダンス出力方法、そのようなガイダンス出力方法を採用する電子装置、及びコンピュータにそのようなガイダンス出力方法によるガイダンス出力を行わせるコンピュータプログラムに関する。
【背景技術】
【０００２】
複写機では、例えば原稿又は記録用紙のジャムが発生すると、操作者は複写機の扉等を開けて、扉等の内側に示された操作手順に従ってジャムを除去する。このようなメンテナンスに関する操作手順は、一般的にはラベル、シール又はデカル等と呼ばれるシート状部材に印刷されており、このシート状部材は扉の内側等に接着されている。シート状部材に印刷されている説明事項（以下、ガイダンス情報と言う）としては、操作手順に限定されず、操作説明、注意、警告、装置内の部品の配置、装置の商品名や機種番号、定格電圧や定格電流を示す定格銘板、サービス従業者への連絡先等が含まれる。例えばシート状部材に印刷される注意又は警告としては、温度に関するもの、火気に関するもの、感電に関するもの等が含まれる。
【０００３】
このようなガイダンス情報を示すシート状部材は、複写機に限らず、ファクシミリ装置、印刷装置、複合装置、空調装置、自動販売機等の各種電子装置で使用されている。
【０００４】
しかし、シート状部材は、電子装置の比較的下部や扉の裏側等に設けられていることが多く、特に電子装置が使用される環境によっては、シート状部材に印刷されているガイダンス情報が読みにくい場合がある。又、電子装置内部の汚れや埃により、シート状部材に印刷されているガイダンス情報が読みにくい場合もある。
【０００５】
更に、シート状部材の限られた面積にできるだけ多くの情報を印刷しようとすると、絵や文字等が小さくなり、操作者の視力にかかわらずガイダンス情報が読みにくくなってしまう。
【０００６】
又、ガイダンス情報は、色の識別がしにくい色で印刷されている場合もあり、特に色覚異常の操作者の場合、色によってはガイダンス情報が読みにくいことがある。色覚異常によっては、緑色と赤色、灰色と赤色又は灰色と緑色の区別がしにくく、この他にも、青色と黄色を混同したり、色の区別がしにくいこともある。従って、色覚異常の操作者にとって色の識別がしにくい色でガイダンス情報が印刷されていると、例えば赤色が暗く見えたり、赤色と緑色が区別でいなかったり、緑色と茶色が混同したり、オレンジ色と黄色を混同したりしてしまう。一般的に、誤認しやすい色の組み合わせとしては、赤色と緑色、緑色と茶色、オレンジ色と黄色、青色と紫色又は黒色、ピンク色と灰色又は白色等がある。
【０００７】
シート状部材に印刷されたガイダンス情報を見やすくして操作者の誤認を防止するために、シート状部材を取り外し可能に設けている電子装置もある。このような電子装置は、例えば特許文献１にて提案されている。この場合、操作者はシート状部材を電子装置から取り外して見やすい位置でガイダンス情報を読み、必要な操作を行った後にシート状部材を電子装置内の元の位置へ戻す。しかし、このようにシート状部材を電子装置内の元の位置へ戻す操作は煩雑であり、複数のシート状部材を取り外した場合には、シート状部材を元の正しい位置に戻せなくなったり、シート状部材を元の位置に戻し忘れて紛失してしまう可能性もある。又、ガイダンス情報は、色の識別がしにくい色で印刷されていると、誤認しやすいことには変りはない。更に、シート状部材を取り外し可能にしても、ガイダンス情報を印刷できる面積は従来の固定型のシート状部材の場合と同様であり、ガイダンス情報に含められる情報量が非常に限られてしまう。
【特許文献１】特開平７−７２６９２号公報
【発明の開示】
【発明が解決しようとする課題】
【０００８】
従来のシート状部材は、電子装置の比較的下部や扉の裏側等に設けられていることが多く、特に電子装置が使用される環境や汚れ具合等によっては、シート状部材に印刷されているガイダンス情報が読みにくいという問題があった。又、シート状部材の面積は限られているため、ガイダンス情報の情報量を多くするとガイダンス情報が読みにくくなり、ガイダンス情報をできるだけ読みやすくするとガイダンス情報の情報量が少なくなってしまうという問題もあった。
【０００９】
又、シート状部材を電子装置から取り外し可能に設けた場合、ガイダンス情報は読みやすくなるものの、シート状部材を電子装置内の元の位置へ戻す煩雑な操作が必要になると共に、複数のシート状部材を取り外した場合には、シート状部材を元の正しい位置に戻せなくなったり、シート状部材を元の位置に戻し忘れて紛失してしまう可能性もあるという問題があった。
【００１０】
更に、シート状部材に印刷されたガイダンス情報は、色の識別がしにくい色で印刷されていると、誤認しやすいという問題もあった。
【００１１】
そこで、本発明は、煩雑な操作を要することなく、且つ、ガイダンス情報を誤認防止可能に出力することのできるガイダンス出力方法、電子装置及びコンピュータプログラムを提供することを目的とする。
【課題を解決するための手段】
【００１２】
上記目的を達成するために、請求項１記載の発明は、メンテナンスに関する操作手順及び警告を含むガイダンス情報が、関連する電子装置内の装置部分に対応する箇所に設けられたガイダンス部に示されている電子装置において、表示指示に応答して、対応するガイダンス部に示されているガイダンス情報を該電子装置の表示部に表示する表示ステップを含むことを特徴とするガイダンス出力方法である。
【００１３】
請求項２記載の発明は、請求項１記載の発明において、該表示指示を、該箇所に設けられたスイッチ、又は、該電子装置の該箇所以外に設けられたスイッチの操作に応答して発生するステップを更に含むことを特徴とするガイダンス出力方法である。
【００１４】
請求項３記載の発明は、請求項１記載の発明において、該表示指示を、該ガイダンス部と一体的に設けられたスイッチの操作に応答して発生するステップを更に含むことを特徴とするガイダンス出力方法である。
【００１５】
請求項４記載の発明は、請求項１〜３のいずれかの発明において、該ガイダンス情報は階層構造を有し、階層指示に応じた階層のガイダンス情報を該表示部に表示するステップを更に含むことを特徴とするガイダンス出力方法である。
【００１６】
請求項５記載の発明は、請求項１〜４のいずれかの発明において、該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とするガイダンス出力方法である。
【００１７】
請求項６記載の発明は、請求項１〜５のいずれかの発明において、該ガイダンス情報は、文字及び／又は絵を含むことを特徴とするガイダンス出力方法である。
【００１８】
請求項７記載の発明は、請求項１記載の発明において、該表示ステップは、変換指示に応答して、該ガイダンス情報に色の識別を容易にする色変換処理及び／又は拡大変換処理を施してから該表示部に表示することを特徴とするガイダンス出力方法である。
【００１９】
請求項８記載の発明は、請求項１〜７のいずれかの発明において、印刷指示に応答して、該ガイダンス情報を印刷するステップを更に含むことを特徴とするガイダンス出力方法である。
【００２０】
請求項９記載の発明は、請求項１〜７のいずれかの発明において、印刷指示に応答して、該ガイダンス情報を印刷するステップを更に含み、該印刷ステップは、色変換指示に応答して、該ガイダンス情報に色の識別を容易にする色変換処理を施してから印刷することを特徴とするガイダンス出力方法である。
【００２１】
請求項１０記載の発明は、請求項１〜９のいずれかの発明において、該電子装置は、複写機、ファクシミリ装置、印刷装置、複合装置、空調装置及び自動販売機からなるグループから選択された１つの装置であることを特徴とするガイダンス出力方法である。
【００２２】
上記の目的を達成するために、請求項１１記載の発明は、表示部と、メンテナンスの対象となる複数の装置部分と、該複数の装置部分に対応する箇所に設けられ、メンテナンスに関する操作手順及び警告を含むガイダンス情報を示する少なくとも１つのガイダンス部と、表示指示に応答して、対応するガイダンス部に示されているガイダンス情報を該表示部に表示する制御手段とを備えたことを特徴とする電子装置である。
【００２３】
請求項１２記載の発明は、請求項１１の発明において、該箇所又は該箇所以外に設けられたスイッチを更に備え、該制御手段は、該スイッチの操作に応じて発生する表示指示に応答して該ガイダンス情報を該表示部に表示することを特徴とする電子装置である。
【００２４】
請求項１３記載の発明は、請求項１１の発明において、該ガイダンス部と一体的に設けられたスイッチを備え、該制御手段は、該スイッチの操作に応じて発生する表示指示に応答して該ガイダンス情報を該表示部に表示することを特徴とする電子装置である。
【００２５】
請求項１４記載の発明は、請求項１１〜１３のいずれかの発明において、該ガイダンス情報は階層構造を有し、該制御手段は、階層指示に応じた階層のガイダンス情報を該表示部に表示することを特徴とする電子装置である。
【００２６】
請求項１５記載の発明は、請求項１１〜１４のいずれかの発明において、該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とする電子装置である。
【００２７】
請求項１６記載の発明は、請求項１１〜１５のいずれかの発明において、該ガイダンス情報は、文字及び／又は絵を含むことを特徴とする電子装置である。
【００２８】
請求項１７記載の発明は、請求項１１の発明において、該制御手段は、変換指示に応答して、該ガイダンス情報に色の識別を容易にする色変換処理及び／又は拡大変換処理を施してから該表示部に表示することを特徴とする電子装置である。
【００２９】
請求項１８記載の発明は、請求項１１〜１７のいずれかの発明において、印刷部を更に備え、該制御手段は、印刷指示に応答して、該ガイダンス情報を該印刷部で印刷することを特徴とする電子装置である。
【００３０】
請求項１９記載の発明は、請求項１１〜１７のいずれかの発明において、印刷部を更に備え、該制御手段は、色変換指示に応答して、該ガイダンス情報に色の識別を容易にする色変換処理を施してから該印刷部で印刷することを特徴とする電子装置である。
【００３１】
請求項２０記載の発明は、請求項１１〜１９のいずれかの発明において、該電子装置は、複写機、ファクシミリ装置、印刷装置、複合装置、空調装置及び自動販売機からなるグループから選択された１つの装置であることを特徴とする電子装置である。
【００３２】
上記の目的を達成するために、請求項２１記載の発明は、メンテナンスに関する操作手順及び警告を含むガイダンス情報が、関連する電子装置内の装置部分に対応する箇所に設けられたガイダンス部に示されている電子装置が内蔵するコンピュータにガイダンス情報を表示させるコンピュータプログラムであって、該コンピュータに、表示指示に応答して、対応するガイダンス部に示されているガイダンス情報を該電子装置の表示部に表示させる表示手順を含むことを特徴とするコンピュータプログラムである。
【００３３】
請求項２２記載の発明は、請求項２１の発明において、該コンピュータに、該表示指示を、該箇所に設けられたスイッチ、又は、該電子装置の該箇所以外に設けられたスイッチから入手させる手順を更に含むことを特徴とするコンピュータプログラムである。
【００３４】
請求項２３記載の発明は、請求項２１の発明において、該コンピュータに、該表示指示を、該ガイダンス部と一体的に設けられたスイッチから入手させる手順を更に含むことを特徴とするコンピュータプログラムである。
【００３５】
請求項２４記載の発明は、請求項２１〜２３のいずれかの発明において、該ガイダンス情報は階層構造を有し、該コンピュータに、階層指示に応じた階層のガイダンス情報を該表示部に表示させる手順を更に含むことを特徴とするコンピュータプログラムである。
【００３６】
請求項２５記載の発明は、請求項２１〜２４のいずれかの発明において、該ガイダンス情報は、操作説明、注意、該装置内の部品の配置、該装置の商品名、該装置の機種番号、定格電圧、定格電流、及びサービス従業者への連絡先からなるグループから選択された１以上の情報を含むことを特徴とするコンピュータプログラムである。
【００３７】
請求項２６記載の発明は、請求項２１〜２５のいずれかの発明において、該ガイダンス情報は、文字及び／又は絵を含むことを特徴とするコンピュータプログラムである。
【００３８】
請求項２７記載の発明は、請求項２１の発明において、該表示手順は、該コンピュータに、変換指示に応答して、該ガイダンス情報に色の識別を容易にする色変換処理及び／又は拡大変換処理を施してから該表示部に表示させることを特徴とするコンピュータプログラムである。
【００３９】
請求項２８記載の発明は、請求項２１〜２７のいずれかの発明において、該コンピュータに、印刷指示に応答して、該ガイダンス情報を印刷させる手順を更に含むことを特徴とするコンピュータプログラムである。
【００４０】
請求項２９記載の発明は、請求項２１〜２７のいずれかの発明において、該コンピュータに、印刷指示に応答して、該ガイダンス情報を印刷させる手順を更に含み、該印刷手順は、該コンピュータに、色変換指示に応答して、該ガイダンス情報に色の識別を容易にする色変換処理を施してから印刷させることを特徴とするコンピュータプログラムである。
【００４１】
請求項３０記載の発明は、請求項２１〜２９のいずれかの発明において、該電子装置は、複写機、ファクシミリ装置、印刷装置、複合装置、空調装置及び自動販売機からなるグループから選択された１つの装置であることを特徴とするコンピュータプログラムである。
【発明の効果】
【００４２】
本発明によれば、煩雑な操作を要することなく、且つ、ガイダンス情報を誤認防止可能に出力することのできるガイダンス出力方法、電子装置及びコンピュータプログラムを実現することができる。
【００４３】
ガイダンス情報に色の識別を容易にする色変換処理を施してから表示部に表示、及び／又は、ガイダンス情報を印刷するするようにした場合、ガイダンス情報の誤認を更に確実に防止することができる。
【発明を実施するための最良の形態】
【００４４】
以下に、本発明になるガイダンス出力方法、電子装置及びコンピュータプログラムの各実施例を、図面と共に説明する。
【実施例１】
【００４５】
図１は、本発明になる電子装置の第１実施例を示す斜視図である。電子装置の第１実施例では、本発明が複写機に適用されている。電子装置の第１実施例は、本発明になるガイダンス出力方法の第１実施例及び本発明になるコンピュータプログラムの第１実施例を採用する。
【００４６】
以下の説明で、ガイダンス情報とは、電子装置のメンテナンスに関する操作手順、操作説明、警告、注意、電子装置内の部品（装置部分）の配置、電子装置の商品名、電子装置の機種番号、定格電圧、定格電流、及びサービス従業者への連絡先等を言う。電子装置のメンテナンスには、消耗部品の交換、消耗品の補充、故障部分の修理、記録用紙のジャム等の除去、部品の清掃等も含まれる。
【００４７】
図１に示す複写機１００は、操作部（操作パネル）８、扉１０１、引き出し１０３等を有し、同図では、扉１０１が開かれ内部の引き出し１０２が引き出された状態を示す。扉１０１の内側には、スイッチ（センサ）が一体的に設けられたガイダンス部７が設けられている。例えば、ガイダンス部７は接触センサを内臓しており、操作者がガイダンス部７に触れたことを検知できる構成を有する。このガイダンス部７は、一般的にはラベル、シール又はデカル等と呼ばれるシート状部材に相当する。ラベルは、警告ラベル（Ｗａｒｎｉｎｇ  Ｌａｂｅｌ）と呼ばれることもある。図２は、ガイダンス部７が示すガイダンス情報を示す図である。
【００４８】
本実施例では、説明の便宜上、引き出し１０２に設けられた装置部分に関するガイダンス情報を表示するものとし、又、このガイダンス情報は引き出し１０２に対応する箇所に設けられたガイダンス部７に示されるものとする。しかし、ガイダンス部７の数は１つに限定されず、ガイダンス部７は、メンテナンスの対象となる複写機１００内の装置部分の数に応じて、ガイダンス情報が関連する各装置部分に対応する箇所に設けられていても良い。例えば、ガイダンス部７は、図１中ＡやＢで示す装置部分に設けても良い。
【００４９】
図３は、複写機１００の操作部８を示す平面図である。操作部８には、表示部８−１、「コピー」キー８−２を含む各種キー（又はスイッチ）が設けられている。表示部８−１は、スイッチとしても機能するタッチパネルで構成されていても良い。
【００５０】
図４は、複写機１００の機能ブロック図である。複写機１００は、メイン制御部１、ガイダンス部７、操作部８、印刷部（プリンタ）９及びセンサ群１１を有する。メイン制御部１は、互いに接続されたＣＰＵ２、ＲＯＭ３、ＲＡＭ４、プロセス制御部５及びインターフェイス部（Ｉ／Ｆ）６からなる。尚、メイン制御部１とガイダンス部７との間の接続は、有線である必要はなく、無線接続であっても良い。又、複数のガイダンス部７が設けられる場合には、各ガイダンス部７がメイン制御部１に接続される。
【００５１】
ＣＰＵ２は、ガイダンス情報の出力制御や情報処理制御を含む、複写機１００全体の制御を司る。ＲＯＭ３は、ＣＰＵ２が実行する各種プログラムを格納する。ＲＯＭ３が格納するプログラムには、複写機１００内の各種制御処理を行うためのプログラム、各ガイダンス部７の識別情報（位置又は番号）、表示プログラム及びガイダンス情報、操作部８の表示プログラム、色変換プログラム、拡大変換プログラム等が含まれる。ＲＡＭ４は、ＣＰＵ２が実行する演算の中間データ、演算の結果データ等のデータを格納する。
【００５２】
プロセス制御部５は、複写装置１００の周知の画像読み取り部（図示せず）で読み取った原稿の画像データに対して、印刷画質等を制御するための任意の画像処理を施す。インターフェイス部６は、例えばゲートアレイ等で構成されており、メイン制御部１と複写機１００の他の装置部分との間のインタフェースを司っている。つまり、インターフェイス部６は、ガイダンス部７からの表示指示のＣＰＵ２への転送、操作部８からの各種指示のＣＰＵ２への転送、ＣＰＵ２からの表示指示及び表示データの操作部８への転送を制御する。
【００５３】
印刷部９は、周知の方法で、画像読み取り部で読み取った原稿の画像データや、ＣＰＵ２からの表示指示に応じた画像データを記録用紙等の記録媒体に印刷する。印刷部９は、モノクロ印刷を行う構成であっても、カラー印刷を行う構成であっても良い。印刷部９の画像形成方法は特に限定されないが、例えば電子写真法やインクジェット法を採用可能である。
【００５４】
センサ群１１は、複写機１００の各装置部分の状態又は異常を検知する複数のセンサからなり、検知された状態又は異常をＣＰＵ２へ通知する周知の構成を有する。例えば、特定の装置部分での記録用紙のジャムを検知するセンサが異常を検知すると、ＣＰＵ２はこの異常通知を受けて、周知の方法で表示部８−１にジャムが特定装置部分で発生したことを示すメッセージ等を表示する。従って、操作者は、ジャムが発生したことを示すメッセージ等が表示部８−１に表示されると、ジャムの原因を取り除く作業を行える。具体的には、例えば図１において扉１０１を開けて、引き出し１０２を引き出してジャムの原因となっている記録用紙を取り除くことができる。このようにジャムの原因を取り除く際、操作者はガイダンス部７に示されているガイダンス情報を見て、ジャムの取り除き方（操作手順）、触ってはいけない高温装置部分、使用してはいけない記録用紙の種類、記録用紙の正しいセット方法等を知ることができるので、安全、且つ、迅速に必要な操作を行うことができる。
【００５５】
しかし、複写機１００が使用される環境によっては、暗くてガイダンス部７が読めなかったり、ガイダンス部７自体が小さいか、或いは、ガイダンス部７に示されているガイダンス情報の絵及び／又は文字が小さいために見にくいと、操作者は迅速に必要な操作を行えない可能性がある。そこで、本実施例では、操作者がガイダンス部７に示されているガイダンス情報の表示を見たいときには、ガイダンス部７に触れることで、自動的にガイダンス情報を表示部８−１に表示する。表示部８−１に表示されるガイダンス情報は、ガイダンス部７に印刷等により示されているガイダンス情報と比べると非常に見やすいので、上記特許文献１のようにシート状部材を装置から取り外すといった煩雑な操作の必要もなく、誤認を確実に防止することができる。
【００５６】
図５は、本実施例の動作を説明するフローチャートである。図５に示す動作は、ＲＯＭ３に格納された本実施例のコンピュータプログラムに基づいてＣＰＵ２により行われる。尚、本実施例のコンピュータプログラムは、ＲＯＭ３以外のコンピュータ読み取り可能な記憶媒体に格納されていても良い。コンピュータ読み取り可能な記憶媒体は、磁気記録媒体、光記録媒体、光磁気記録媒体、半導体記憶装置等により構成可能である。
【００５７】
図５において、ステップＳ１は、ガイダンス情報表示モードが設定されているか否かを判定する。操作部８のキー操作によりガイダンス情報表示モードが設定されていると、複写機１００はガイダンス部７に示されたガイダンス情報を表示可能な状態にある。他方、ガイダンス情報表示モードが設定されていないか、或いは、操作部８のキー操作によりガイダンス情報表示モードが解除されていると、複写機１００はガイダンス部７に示されたガイダンス情報を表示できない状態にある。従って、ガイダンス情報表示モードが設定されていないと、誤操作により表示部８−１にガイダンス情報が表示される不都合を防止することができる。
【００５８】
ステップＳ１の判定結果がＹＥＳであると、ステップＳ２は、操作者がガイダンス部７に触れたことによりガイダンス情報の表示指示が発生したか否かを判定する。ステップＳ２の判定結果がＹＥＳになると、ステップＳ３は、ＲＯＭ３から表示指示のあるガイダンス部７に対応するガイダンス情報を読み出して表示部８−１に表示する。図６は、表示部８−１に表示されるガイダンス情報を示す図である。図６からもわかるように、表示部８−１に表示されるガイダンス情報は、基本的には図２に示すガイダンス部７に示されたガイダンス情報と同じである。
【００５９】
ステップＳ３の後、ステップＳ４は、表示されているガイダンス情報に色変換処理を施すか否かを判定する。図６に示す表示部８−１上の「色変換」キー５０が選択（押下）されると、ステップＳ４の判定結果はＹＥＳとなり、処理はステップＳ５へ進む。他方、図６に示す表示部８−１上の「戻る」キー５１が押下されると、ステップＳ４の判定結果はＮＯとなり、処理はステップＳ６へ進む。
【００６０】
ステップＳ５は、ＲＯＭ３に格納されている色変換プログラムに基づいてガイダンス情報に色の識別を容易にする色変換処理を施して表示部８−１に表示する。この色変換プログラムには、複数の色変換パターンを有する。例えば、ガイダンス情報中の緑色と赤色、灰色と赤色の識別が困難な操作者の場合、赤色の彩度や濃度が変化したり別の色に変れば、ガイダンス情報が認識しやすくなる。又、ガイダンス情報中の青色と黄色を混同しやすい操作者の場合、青色の彩度や濃度が変化したり別の色に変れば、ガイダンス情報が認識しやすくなる。そこで、操作者に合った色変換パターンを選択可能にすることで、誤認しやすい色の組み合わせの配色を極力避けて、１色或いは複数色の彩度や濃度を変化させたり別の色に変換することで、ガイダンス情報の表示を色の識別がしやすい表示に変換する。誤認しやすい色の組み合わせとしては、例えば赤色と緑色、緑色と茶色、オレンジ色と黄色、青色と紫色、緑色と灰色又は黒色、ピンク色と灰色又は白色等がある。このように、適切な色変換処理を行うことで、視力や色覚に障害のある操作者であっても、誤認しにくいガイダンス情報を表示することができる。尚、本実施例では、「色変換」キー５０の押下の毎に異なる色変換パターンが選択されるので、操作者はガイダンス情報の表示を色の識別がしやすい表示を選択することができる。
【００６１】
ステップＳ６は、印刷指示が発生したか否かを判定する。操作部８の「コピー」キー８−２が操作されると、印刷指示が発生し、ステップＳ６の判定結果はＹＥＳとなり、処理はステップＳ７へ進む。他方、表示部８−１上の「戻る」キー５１が押下されると、印刷指示は発生せず、ステップＳ６の判定結果はＮＯとなり、処理はステップＳ８へ進む。ステップＳ７は、ガイダンス情報を印刷部９に供給して記録用紙にガイダンス情報を印刷し、表示部８−１の表示を通常の表示に戻してから処理は終了する。印刷されるガイダンス情報は、ステップＳ４の判定結果がＮＯの場合は色変換処理を施されていないが、ステップＳ４の判定結果がＹＥＳの場合は色変換処理を施されている。ステップＳ８は、表示部８−１の表示を通常の表示に戻し、処理はステップＳ１へ戻る。ここで、通常の表示とは、複写機１００の通常の複写機能を表示部８−１上で選択可能とする表示を言う。尚、図６に示す表示部８−１上に「印刷」キーを表示して、この「印刷」キーの押下により印刷指示を発生するようにしても良いことは言うまでもない。
【００６２】
図７は、第１実施例の変形例の動作の要部を説明するフローチャートであり、図８は、表示部８−１に表示されるガイダンス情報を示す図である。図７中、図５と同一ステップには同一符号を付し、その図示及び説明は省略する。本変形例では、図５に示すステップＳ４，Ｓ５の代わりに、図７に示すステップＳ４Ａ，Ｓ５Ａが設けられている。ステップＳ４Ａは、表示されているガイダンス情報に拡大変換処理を施すか否かを判定する。この場合、図８に示す表示部８−１上の「拡大変換」キー５３が選択されると、ステップＳ４Ａの判定結果はＹＥＳとなり、処理はステップＳ５Ａへ進む。他方、図８に示す表示部８−１上の「戻る」キー５１が選択されると、ステップＳ４Ａの判定結果はＮＯとなり、処理はステップＳ６へ進む。
【００６３】
ステップＳ５Ａは、ＲＯＭ３に格納されている拡大変換プログラムに基づいてガイダンス情報に絵及び／又は文字の識別を容易にする拡大変換処理を施して表示部８−１に表示する。この拡大変換プログラムには、複数の拡大変換パターンを有する。本変形例では、「拡大変換」キー５３の押下の毎に異なる拡大変換パターンが選択されるので、操作者はガイダンスの表示を絵及び／又は文字の識別がしやすい倍率での表示を選択することができる。このように、適切な拡大変換処理を行うことで、視力や色覚に障害のある操作者であっても、誤認しにくいガイダンス情報を表示することができる。
【００６４】
尚、上記色変換処理及び拡大変換処理の両方を行うようにしても良いが、拡大の倍率が表示部８−１に比べて大きいとガイダンス情報を全て同時に表示できない場合がある。このような場合には、図８に示す表示部８−１上の「スクロール」キー５４を押下することで、ガイダンス情報の表示をスクロールするようにすれば良い。言うまでもないが、拡大の倍率によっては、ガイダンス情報を全て印刷できない場合もあるので、このような場合には、拡大変換処理を施されたガイダンス情報は表示するだけにすることが望ましい。
【実施例２】
【００６５】
図９は、本発明になる電子装置の第２実施例の動作を説明するフローチャートであり、図１０は、表示部８−１上に表示されるガイダンス情報を示す図である。図９に示す動作は、ＲＯＭ３に格納された本実施例のコンピュータプログラムに基づいてＣＰＵ２により行われる。図９中、図５と同一ステップには同一符号を付し、その図示及び説明は省略する。
【００６６】
図９において、ステップＳ１１〜Ｓ１４は、図５に示すステップＳ２とステップＳ３の間に設けられる。ステップＳ１１は、ガイダンス情報の階層表示を行うか否かを判定する。本実施例の場合、ＲＯＭ３には、階層構造を有するガイダンス情報が格納されている。階層構造を有するガイダンス情報の場合、ガイダンス情報が階層構造の下層程詳しい内容になる。図１０に示す表示部８−１上で「詳細」キー５５が押下されると、階層表示指示が発生し、ステップＳ１１の判定結果はＹＥＳになるので、処理はステップＳ１２へ進む。表示部８−１上の「詳細」キー５５が押下される毎に、ＲＯＭ３から読み出すべきガイダンス情報の階層が１層下層のものとなり、より詳しいガイダンス情報が得られる。他方、表示部８−１上の「戻る」キー５１が押下されると、階層表示指示は発生せず、ステップＳ１１の判定結果はＮＯになるので、処理はステップＳ３へ進む。
【００６７】
ステップＳ１２は、「詳細」キー５５の押下回数に応じた階層のガイダンス情報をＲＯＭ３から読み出し、ステップＳ１３は、読み出したガイダンス情報を表示部８−１上に表示する。ステップＳ１４は、表示部８−１上の表示を最初に表示していた元のガイダンス情報の表示に戻すか否かを判定する。ステップＳ１４の判定結果は、表示画面８−１上の「戻る」キー５１が押下されるとＹＥＳになり処理はステップＳ３へ進むが、押下されないとＮＯになり処理はステップＳ１２へ戻る。
【００６８】
このように、階層構造を有するガイダンス情報のうち、任意の階層のガイダンス情報を選択して表示及び／又は印刷可能とすることで、操作者は、必要に応じて非常に多くの情報量のガイダンス情報を得ることができる。従って、複写機１００のメンテナンスをより容易に、正確に、安全に、且つ、迅速に行うことができる。
【００６９】
上記各実施例では、ガイダンス部７がセンサを内蔵しているが、ガイダンス部７が示すガイダンス情報の表示指示は、ガイダンス部７に対応する箇所に設けられたスイッチの操作に応答して発生するようにしても良い。
【００７０】
図１１は、ガイダンス部の他の構成を示す図である。図１１に示すように、ガイダンス部７に対応する箇所には、スイッチ７１が設けられている。操作者がスイッチ７１を操作すると、対応するガイダンス部７のガイダンス情報の表示指示が発生してＣＰＵ２に通知される。
【００７１】
又、表示部８−１上に「ガイダンス選択」キーを設けても良い。この場合、例えば複数のガイダンス部７が設けられていれば、各ガイダンス部７に識別番号等を付けておき、「ガイダンス選択」キーが押下される毎に次の識別番号のガイダンス部７の示すガイダンス情報を表示部８−１に表示可能である。
【００７２】
尚、本発明になる電子装置は複写機に限定されず、ファクシミリ装置、印刷装置、複合装置、空調装置、自動販売機等の各種電子装置にも本発明が同様に適用可能であることは言うまでもなく、電子装置は携帯電話等の携帯型の電子装置であっても良い。要は、ガイダンス部と表示部とを有する電子装置であれば、本発明を適用可能である。携帯型の電子装置の場合、装置自体が小型であるため、ガイダンス部自体も小さくなってしまい、ガイダンス情報の絵及び／又は文字が非常に小さくなってしまう。しかし、電池交換等の操作手順を携帯型の電子装置の表示部に表示することで、操作者は必要な操作手順を誤認することなく把握することができる。携帯型の電子装置の場合、限られた装置内のスペースを考慮すると、ガイダンス情報の表示指示を操作部から行う構成とすることが望ましい。
【００７３】
本発明は上記実施例に限定されるものではなく、本発明の範囲内で種々の変形及び改良が可能であることは言うまでもない。
【図面の簡単な説明】
【００７４】
【図１】本発明になる電子装置の第１実施例を示す斜視図である。
【図２】ガイダンス部が示すガイダンス情報を示す図である。
【図３】操作部を示す平面図である。
【図４】複写機の機能ブロック図である。
【図５】第１実施例の動作を説明するフローチャートである。
【図６】表示部に表示されるガイダンス情報を示す図である。
【図７】第１実施例の変形例の動作の要部を説明するフローチャートである。
【図８】表示部に表示されるガイダンス情報を示す図である。
【図９】本発明になる電子装置の第２実施例の動作を説明するフローチャートである。
【図１０】表示部に表示されるガイダンス情報を示す図である。
【図１１】ガイダンス部の他の構成を示す図である。
【符号の説明】
【００７５】
１      メイン制御部
２      ＣＰＵ
３      ＲＯＭ
４      ＲＡＭ
５      プロセス制御部
６      インターフェイス
７      ガイダンス部
８      操作部
８−１      表示部
８−２      コピーキー
９      印刷部
１１      センサ群
【図１】
2004297776.tif 000003
【図２】
2004297776.tif 000004
【図３】
2004297776.tif 000005
【図４】
2004297776.tif 000006
【図５】
2004297776.tif 000007
【図６】
2004297776.tif 000008
【図７】
2004297776.tif 000009
【図８】
2004297776.tif 000010
【図９】
2004297776.tif 000011
【図１０】
2004297776.tif 000012
【図１１】
2004297776.tif 000013